(57)【要約】  落下等の外力に強く、コンパクト化可能なレンズ鏡筒を提供する。レンズ鏡筒（２０）は、円筒状の第１直進枠（１１０）と、円筒状の第１回転枠（２１０）と、円筒状の第２直進枠（１２０）と、を備える。第１回転枠（２１０）は、外周面（２１０Ｔ）に周方向に沿って形成されるバヨネット突起（Ｅ０）と、内周面（２１０Ｓ）から外周面（２１０Ｔ）に第１回転枠本体（２１１）を貫通しバヨネット突起（Ｅ０）と交差するカム溝（ｂ２）と、を有する。カム溝（ｂ２）は、周方向に沿って形成される溝部（ｂ２ｓｔ）を有する。バヨネット溝（ｅ０）の被写体と反対側の後側面（２１８）は、溝部（ｂ２ｓｔ）の被写体と反対側の後側面（２１４）と、前後方向において略同一位置にある。
2013114897.tif 000002
【特許請求の範囲】
【請求項１】
内周面に少なくとも１本の直進溝と、内周面に周方向に沿って形成される少なくとも１本の第１バヨネット突起と、を有する円筒状の第１枠と、
前記第１枠の径方向内側に配置され、前記第１枠に対して相対的に回転可能であり、かつ、外周面に周方向に沿って形成され前記第１バヨネット突起に係合される少なくとも１つのバヨネット溝と、内周面から外周面に貫通し少なくとも一部が前記第１バヨネット溝と交差する少なくとも１本のカム溝と、を有する円筒状の第２枠と、
前記第２枠の径方向内側に配置され、前記第１枠と同期して回転可能であり、かつ、外周面に前記カム溝を介して前記直進溝に係合される少なくとも１つの突起を有する円筒状の第３枠と、
を備え、
前記カム溝は、周方向に沿って形成される溝部を有し、
前記バヨネット溝の被写体と反対側の後側面は、前記溝部の被写体と反対側の後側面と、前記第２枠の軸心に沿った方向において略同一位置にある、
るレンズ鏡筒。
【請求項２】
前記バヨネット溝の被写体と反対側の後側面と、前記溝部の被写体と反対側の後側面とは、周方向に連続的に形成されている、
請求項１に記載のレンズ鏡筒。
【請求項３】
前記第２枠は、前記外周面上において周方向に沿って形成される少なくとも１つのフランジ部と、前記カム溝を挟んで前記フランジ部と対向するように前記外周面上に形成される少なくとも１つのリブ部とを、さらに有し、
前記第１枠の少なくとも一部は、前記リブ部と前記フランジ部とによって挟まれており、前記リブ部を含む少なくとも一部の光軸方向断面において、前記リブ部と前記フランジとの間にのみ存在し、
前記リブ部の一部は、前記カム溝における最も円筒軸方向の一方側に設けられた領域の円筒軸方向の一方側に形成される、
請求項１又は２に記載のレンズ鏡筒。
【請求項４】
前記第２枠は、少なくとも１つの第２バヨネット突起、をさらに有し、
前記リブ部、前記バヨネット溝、前記第２バヨネット突起および前記フランジは、前記円筒軸方向において順に並んでいる、
請求項３に記載のレンズ鏡筒。
【請求項５】
前記第１枠の前記第１バヨネット突起が前記溝部に位置する場合、前記第１枠の被写体側の端部が、前記第２枠の前記リブ部と当接する、
請求項３又は４に記載のレンズ鏡筒。
【請求項６】
規制突起を有する略筒状の第１枠と、
前記規制突起が係合される規制溝と、当該規制溝と少なくとも一部が交差するカム溝と、を有する略筒状の第２枠と、
を備え、
前記規制溝の一方の側面は、前記カム溝が周方向と略平行になる箇所において、当該カム溝の一方の側面と、前記略同一位置に形成される、
レンズ鏡筒。
【請求項７】
前記規制溝の一方の側面は、当該規制溝の他方の側面に対して前記第２枠の端部から遠方に形成され、
前記カム溝の一方の側面は、当該カム溝の他方の側面に対して前記第２枠の端部から遠方に形成され、
前記第２枠は、前記カム溝が周方向と略平行になる箇所において、前記カム溝の他方の側面の前記第２枠の端部側にリブを有し、
前記第１枠は、前記リブと係合される端部を有する、
請求項６に記載のレンズ鏡筒。
【発明の詳細な説明】
【技術分野】
【０００１】
ここに開示される技術は、光学系を備えるレンズ鏡筒に関する。
【背景技術】
【０００２】
従来、固定枠の内側において第１回転枠、第１直進枠、第２直進枠および第２回転枠が外側から順次配置されたレンズ鏡筒が知られている（例えば、特許文献１及び特許文献２参照）。
【先行技術文献】
【特許文献】
【０００３】
【特許文献１】特開２０１１−４８３４６号公報
【特許文献２】特開２０１１−１３６１３号公報
【発明の概要】
【発明が解決しようとする課題】
【０００４】
しかしながら、従来のレンズ鏡筒では、第１直進枠の外側に第１回転枠が配置されているので、固定枠に対する第１回転枠の係合位置を、固定枠に対する第１直進枠の係合位置より前方に設ける必要がある。この場合、第１回転枠と直進枠が固定枠に対して最も前側に繰り出した状態で、固定枠と第１回転枠の係合部の強度を上げるには、固定枠の前端部を係合部よりも前側に設ける必要がある。【０００５】
従って、固定枠のサイズを大きくする必要があるので、レンズ鏡筒をコンパクト化するにも限界がある。
ここに開示される技術は、上述のような状況に鑑みてなされたものであり、落下等の外力に強く、コンパクト化可能なレンズ鏡筒を提供することを目的とする。
【課題を解決するための手段】
【０００６】
ここに開示されるレンズ鏡筒は、内周面に少なくとも１本の直進溝と、内周面に周方向に沿って形成される少なくとも１本のバヨネット溝と、を有する円筒状の第１枠と、第１直進枠の径方向内側に配置され、第１枠に対して相対的に回転可能であり、かつ、外周面に周方向に沿って形成されバヨネット溝に係合される少なくとも１つのバヨネット突起と、内周面から外周面に貫通しバヨネット突起と交差する少なくとも１本のカム溝と、を有する円筒状の第２枠と、第２枠の径方向内側に配置され、第１枠と同期して回転可能であり、かつ、外周面にカム溝を介して直進溝に係合される少なくとも１つの突起を有する円筒状の第３枠と、を備える。カム溝は、周方向に沿って形成される溝部を有する。バヨネット溝の被写体と反対側の後側面は、溝部の被写体と反対側の後側面と、第２枠の軸心に沿った方向において略同一位置にある。
【発明の効果】
【０００７】
ここに開示される技術によれば、落下等の外力に強く、コンパクト化可能なレンズ鏡筒を提供することができる。
【図面の簡単な説明】
【０００８】
【図１】デジタルカメラの斜視図
【図２】レンズ鏡筒の斜視図
【図３】レンズ鏡筒の分解斜視図
【図４】固定枠の斜視図
【図５】第１直進枠の斜視図
【図６】第１回転枠の斜視図
【図７】第１回転枠の側面図
【図８】図７のＡ−Ａ断面図
【図９Ａ】図７のＢ−Ｂ断面図
【図９Ｂ】第１回転枠及び第１直進枠の断面図
【図１０】第２直進枠の斜視図
【図１１】第２回転枠の斜視図
【図１２】第３直進枠の斜視図
【図１３】第２直進枠と第２回転枠と第３直進枠とを組み付けた模式図
【図１４】第１レンズ群枠の斜視図
【図１５】第２レンズ群枠の斜視図
【図１６】シャッター枠の斜視図
【図１７】レンズ鏡筒の模式断面図（沈胴状態）
【図１８】レンズ鏡筒の模式断面図（ワイド状態）
【図１９】レンズ鏡筒の模式断面図（テレ状態）
【発明を実施するための形態】
【０００９】
次に、図面を用いて、本発明の実施形態について説明する。以下の図面の記載において、同一又は類似の部分には、同一又は類似の符号を付している。ただし、図面は模式的なものであり、各寸法の比率等は現実のものとは異なっている場合がある。従って、具体的な寸法等は以下の説明を参酌して判断すべきである。また、図面相互間においても互いの寸法の関係や比率が異なる部分が含まれていることは勿論である。
【００１０】
なお、以下の実施形態では、撮像装置としてデジタルカメラを例に挙げて説明する。以下の説明では、横撮り姿勢のデジタルカメラを基準として、被写体側を「前」、被写体の反対側を「後」、鉛直上側を「上」、鉛直下側を「下」、被写体に向かって右側を「右」、被写体に向かって左側を「左」と表現する。横撮り姿勢とは、デジタルカメラの姿勢の一種であり、横撮り姿勢で撮影する場合、横長矩形画像の長辺方向は画像内における水平方向に略一致する。
【００１１】
〈デジタルカメラ１の構成〉
デジタルカメラ１の構成について、図面を参照しながら説明する。図１は、デジタルカメラ１の斜視図である。図２は、レンズ鏡筒２０の斜視図である。
デジタルカメラ１は、図１に示すように、筐体１０と、レンズ鏡筒２０と、を備える。
筐体１０は、前板１１と、後板１２と、側板１３と、によって構成される。前板１１には、開口１０Ｓが形成されている。
【００１２】
レンズ鏡筒２０は、３段沈胴式のズーム機構を備える。レンズ鏡筒２０は、非撮影時には筐体１０に収容されており、撮影時には開口１０Ｓから前方に繰り出される。具体的に、レンズ鏡筒２０は、図２に示すように、第１移動鏡筒部２１と、第２移動鏡筒部２２と、第３移動鏡筒部２３と、固定鏡筒部２４と、を有している。
第１移動鏡筒部２１は、固定鏡筒部２４に対して繰り出し可能である。第２移動鏡筒部２２は、第１移動鏡筒部２１に対して繰り出し可能である。第３移動鏡筒部２３は、第２移動鏡筒部２２に対して繰り出し可能である。固定鏡筒部２４は、筐体１０内に固定される。レンズ鏡筒２０が繰り出される場合、第１乃至第３移動鏡筒部２１〜２３のうち第３移動鏡筒部２３が最も前方に位置する。
【００１３】
〈レンズ鏡筒２０の詳細構成〉
次に、レンズ鏡筒２０の詳細構成について、図面を参照しながら説明する。図３は、レンズ鏡筒２０の分解斜視図である。
レンズ鏡筒２０の第１乃至第３移動鏡筒部２１〜２３は、光学系の光軸ＡＸに沿って固定鏡筒部２４から繰り出される。光学系には、第１乃至第４レンズ群Ｌ１〜L４が含まれる。
【００１４】
なお、以下の説明では、光軸ＡＸに平行な方向を「光軸方向」、光軸方向に垂直な方向を「径方向」、光軸ＡＸを中心とする円に沿った方向を「周方向」と称する。光軸ＡＸは、レンズ鏡筒２０を構成する各枠の軸心と略一致する。「直進溝」とは、光軸方向に沿って設けられた溝を、意味する。「直進溝」は、直進枠と回転枠との両方に、設けられる。「バヨネット」または、「バヨネット機構」とは、周方向に沿って設けられる「バヨネット突起」および「バヨネット溝」をそれぞれ有する枠同士が、回転自在に係合する機構、かつ光軸方向に一体的に係合する機構を、意味する。
【００１５】
１．第１移動鏡筒部２１
第１移動鏡筒部２１は、第１直進枠１１０、第１回転枠２１０及び第１化粧枠３０１を有する。第１直進枠１１０は、後述する固定枠１００の径方向内側に配置される円筒状の樹脂部材である。第１回転枠２１０は、第１直進枠１１０の径方向内側に配置される円筒状の樹脂部材である。第１化粧枠３０１は、第１直進枠１１０の外周を覆う円筒状の板金部材である。
【００１６】
２．第２移動鏡筒部２２
第２移動鏡筒部２２は、第２直進枠１２０、第２回転枠２２０、第３直進枠１３０、第２レンズ群枠３２０、第２レンズ群Ｌ２、第３レンズ群枠３３０、第３レンズ群Ｌ３、シャッター枠３３５および第２化粧枠３０２を有する。
第２直進枠１２０は、第１回転枠２１０の径方向内側に配置される円筒状の樹脂部材である。第２回転枠２２０は、第２直進枠１２０の径方向内側に配置される円筒状の樹脂部材である。第３直進枠１３０は、第２回転枠２２０の径方向内側に配置される円筒状の樹脂部材である。第２レンズ群枠３２０は、第３直進枠１３０の径方向内側に配置されており、ズーム用の第２レンズ群Ｌ２を支持する。第３レンズ群枠３３０は、シャッター枠３３５に収容され、像ぶれ補正用の第３レンズ群Ｌ３を支持する。第３レンズ群枠３３０は、径方向において揺動自在にシャッター枠３３５によって支持されており、第３レンズ群Ｌ３とともに像ぶれ補正機構を構成している。シャッター枠３３５は、第３直進枠１３０の径方向内側に配置されており、シャッター機構を内蔵する。シャッター枠３３５は、第３レンズ群枠３３０を径方向において揺動自在に支持する。シャッター枠３３５には、制御用フレキシブル配線３３５ａが接続されている。制御用フレキシブル配線３３５ａは、固定枠１００の内周面に沿って配置され、図示しない制御装置に接続されている。制御用フレキシブル配線３３５ａは、後述するシャッター機構や像ぶれ補正機構に制御信号と駆動用電力を、伝達する。第２化粧枠３０２は、第２直進枠１２０の外周を覆う円筒状の板金部材である。
【００１７】
３．第３移動鏡筒部２３
第３移動鏡筒部２３は、第１レンズ群枠３１０、第１レンズ群Ｌ１および第３化粧枠３０３を有する。
第１レンズ群枠３１０は、第２直進枠１２０と第２回転枠２２０との間に配置される。第１レンズ群枠３１０は、レンズ鏡筒２０内に光を取り込むための第１レンズ群Ｌ１を支持する。第３化粧枠３０３は、第１レンズ群枠３１０の外周を覆う円筒状の板金部材である。
【００１８】
４．固定鏡筒部２４
固定鏡筒部２４は、固定枠１００、第４レンズ群枠３４０、第４レンズ群Ｌ４、ズームモータ２４１、ズームギア２４２、フォーカスモータ２４３、マスターフランジ２４４、撮像素子２４５および撮像素子フレキシブル配線２４５ａを有する。
固定枠１００は、第１直進枠１１０および第１回転枠２１０の径方向外側に配置される円筒状の樹脂部材である。第４レンズ群枠３４０は、マスターフランジ２４４に取り付けられ、フォーカスモータ２４３によって光軸方向に駆動される。第４レンズ群枠３４０は、フォーカス調整用の第４レンズ群Ｌ４を支持する。
【００１９】
ズームモータ２４１は、第１乃至第３移動鏡筒部２１〜２３を繰り出すための駆動源であり、固定枠１００の側面に取り付けられる。ズームギア２４２は、ズームモータ２４１の駆動力を第１回転枠２１０に伝達する。ズームギア２４２の前端は、固定枠１００によって支持され、ズームギア２４２の後端は、マスターフランジ２４４によって支持される。フォーカスモータ２４３は、第４レンズ群枠３４０を光軸方向に駆動するための駆動源であり、マスターフランジ２４４に取り付けられる。マスターフランジ２４４は、固定枠１００の後方を覆う板状の樹脂部材である。撮像素子２４５は、マスターフランジ２４４の中央に嵌め込まれる。撮像素子フレキシブル配線２４５ａと、撮像素子２４５とが電気的に接続がされた状態で、撮像素子フレキシブル配線２４５ａは、マスターフランジ２４４の後面に貼り付けられる。撮像素子フレキシブル配線２４５ａは、図示しない制御装置に接続されており、撮像素子２４５からの信号を伝達する。
【００２０】
〈各枠の構成〉
以下において、レンズ鏡筒２０を構成する枠について、図面を参照しながら説明する。具体的には、固定枠１００、第１直進枠１１０、第１回転枠２１０、第２直進枠１２０、第２回転枠２２０、第３直進枠１３０、第１レンズ群枠３１０、第２レンズ群枠３２０、第３レンズ群枠３３０、およびシャッター枠３３５の構成について順次説明した後に、枠どうしの係合状態について説明する。
【００２１】
１．固定枠１００の構成
図４は、固定枠１００の斜視図である。
固定枠１００は、固定枠本体１０１と、ズームギア支持部１０２と、を有する。
固定枠本体１０１は、円筒状に形成され、内周面１００Ｓと外周面１００Ｔを有する。
ズームギア支持部１０２は、外周面１００Ｔから突出するように設けられる。ズームギア支持部１０２は、ズームギア２４２の前端を回転自在に支持する。本実施形態において、ズームギア支持部１０２は、前板１１によって覆われるため、筐体１０の外部に露出しない（図１参照）。なお、ズームギア２４２の歯部は、固定枠本体１０１の内側に突出している。
【００２２】
また、固定枠１００は、５本の直進溝ａ１と、３本のカム溝ｂ１と、を有する。ただし、図４では、３本の直進溝ａ１と２本のカム溝ｂ１が図示されている。
５本の直進溝ａ１は、光軸方向に沿って内周面１００Ｓに形成されており、周方向において適宜間隔をあけて配置される。
３本のカム溝ｂ１は、光軸方向と交差するように内周面１００Ｓに形成される。
【００２３】
２．第１直進枠１１０の構成
図５は、第１直進枠１１０の斜視図である。
第１直進枠１１０は、第１直進枠本体１１１と、５本の直進突起Ａ１と、３本の直進溝ａ２と、バヨネット突起Ｅ０と、バヨネット溝ｅ１と、バヨネット突起Ｅ０と、を有する。
【００２４】
直進枠本体１１１は、円筒状に形成され、内周面１１０Ｓと外周面１１０Ｔを有する。
５つの直進突起Ａ１は、外周面１１０Ｔの後端部に立設される。５つの直進突起Ａ１は、固定枠１００の５本の直進溝ａ１に係合される。
３本の直進溝ａ２は、光軸方向に沿って内周面１１０Ｓに形成される。
バヨネット突起Ｅ０は、内周面１１０Ｓの前端部に配置される。バヨネット突起Ｅ０は、周方向に沿って円弧状に形成される。本実施形態において、バヨネット突起Ｅ０は、周方向において複数本に分断されている。
【００２５】
バヨネット溝ｅ１は、内周面１１０Ｓの後端部において周方向に沿って円弧状に形成される。バヨネット溝ｅ１は、３本の直進溝ａ２と交差している。
バヨネット突起Ｅ０は、内周面１１０Ｓの前端部に配置される。バヨネット突起Ｅ０は、周方向に沿って円弧状に形成される。本実施形態において、複数のバヨネット突起Ｅ０が、周方向に用意されている。
【００２６】
３．第１回転枠２１０の構成
図６は、第１回転枠２１０の斜視図である。図７は、第１回転枠２１０の側面図である。
第１回転枠２１０は、第１回転枠本体２１１と、フランジ部２１２ａと、ギア部２１２ｂと、３つのリブ部２１９と、を有する。
【００２７】
第１回転枠本体２１１は、円筒状に形成され、内周面２１０Ｓと外周面２１０Ｔを有する。
フランジ部２１２ａは、円環状に形成され、外周面２１０Ｔの後端部上に立設されている。
ギア部２１２ｂは、外周面２１０Ｔの後端部に立設されており、周方向に沿って形成される。詳細には、ギア部２１２ｂは、フランジ部２１２ａの外周の一部おいて周方向に沿って形成される。ギア部２１２ｂがズームギア２４２に噛合することによって、第１回転枠２１０は、ズームモータ２４１の駆動力によって周方向に回転される。なお、フランジ部２１２ａ及びギア部２１２ｂは、カムフォロアＢ１に対して、光軸方向で略同じ位置で、かつ、周方向で異なる位置に、形成されている。図示しないが、ギア部２１２ｂは、第１直進枠１１０の直進突起Ａ１よりも後方に位置している。
【００２８】
３つのリブ部２１９は、外周面２１０Ｔの前端部上に立設されている。３つのリブ部２１９は、周方向に沿って円弧状に形成されている。３つのリブ部２１９は、後述するカム溝ｂ２を挟んでフランジ部２１２ａと対向するように配置されている。特に、リブ部２１９は、図７に示すように、カム溝ｂ２の前端に形成される溝部ｂ２ｓｔに沿って形成されている。リブ部２１９を、孔形状である溝部ｂ２ｓｔに対向して、配置することで、第１回転枠本体２１１の溝部ｂ２ｓｔによる強度低下を、軽減できる。
【００２９】
ここで、図９Ｂは、第１回転枠２１０の軸心（光軸ＡＸに一致）を通る切断面における第１回転枠２１０及び第１直進枠１１０の断面図である。図９Ｂでは、第１回転枠２１０と第１直進枠１１０とが組み合わされた状態が図示されているが、フランジ部２１２ａ及びリブ部２１９及び第１直進枠１１０以外の構成については図示されていない。
図９Ｂに示すように、フランジ部２１２ａとリブ部２１９とは、第１回転枠２１０の軸心に沿った方向（すなわち、前後方向）において、第１回転枠２１０（第１回転枠本体２１１）の両端部に配置されている。
【００３０】
また、第１直進枠１１０は、フランジ部２１２ａとリブ部２１９との間に挟まれている。第１直進枠１１０は、前後方向において、フランジ部２１２ａとリブ部２１９との間にのみ存在している。すなわち、第１直進枠１１０は、フランジ部２１２ａよりも後方に突出しておらず、かつ、リブ部２１９よりも前方に突出していない。
さらに、第１直進枠１１０のバヨネット突起Ｅ０が、溝部ｂ２ｓｔに位置する場合、後述ように、バヨネット突起Ｅ０の光軸方向幅が、溝部ｂ２ｓｔの光軸方向幅より小さいので、バヨネット突起Ｅ０と溝部ｂ２ｓｔとは後側端面のみで当接し、両者の前側端面は当接しない。その為、溝部ｂ２ｓｔ付近では、バヨネット突起Ｅ０と溝部ｂ２ｓｔとだけでは、バヨネット機構は成立しない。しかし、第１直進枠１１０の前側端部が、第１回転枠２１０のリブ部２１９の後面と当接する。このため、バヨネット突起Ｅ０と溝部ｂ２ｓｔとの前側端面の代わりを、第１直進枠１１０の前側端部と第１回転枠２１０のリブ部２１９の後側端面とによって、代用している。これにより、バヨネット機構が成立している。言い換えると、バヨネット突起Ｅ０の後側端面は、第１直進枠１１０の前側端部から、溝部ｂ２ｓｔ後側端面の間に挟まった状態となる。また、バヨネット突起Ｅ０の後側端面は、第１回転枠２１０のリブ部２１９の後側端面から、溝部ｂ２ｓｔ後側端面の間に挟まった状態となる。このようにして、バヨネット機構を成立させている。
【００３１】
また、第１回転枠２１０は、３つのカムフォロアＢ１と、３つのバヨネット突起Ｅ１と、３本のカム溝ｂ２と、バヨネット溝ｅ０と、３本の直進溝ａ３と、を有する。ただし、図６では、直進溝ａ３は１本だけ図示されている。
３つのカムフォロアＢ１は、外周面２１０Ｔの後端部に立設される。３つのうち２つのカムフォロアＢ１は、ギア部２１２ｂの両端に配置されている。３つのカムフォロアＢ１は、固定枠１００の３つのカム溝ｂ１に係合される。
【００３２】
バヨネット突起Ｅ１は、外周面２１０Ｔの後端部において周方向に沿って形成される。バヨネット突起Ｅ１は、ギア部２１２ｂの前方に配置される。バヨネット突起Ｅ１は、第１直進枠１１０のバヨネット溝ｅ１に係合される。本実施形態において、バヨネット突起Ｅ１とバヨネット溝ｅ１とは、第１回転枠２１０を第１直進枠１１０に回転自在に係合し、かつ光軸方向に一体的に係合するためのバヨネット機構を構成している。
【００３３】
３本のカム溝ｂ２は、内周面２１０Ｓから外周面２１０Ｔまで第１回転枠本体２１１を貫通している。３本のカム溝ｂ２それぞれは、第１回転枠２１０の軸心（光軸ＡＸに一致）に沿った方向（すなわち、前後方向）において、第１回転枠２１０の略全長にわたって形成されている。これによって、被駆動物（すなわち、第２直進枠１２０）の十分な移動量が確保されている。
【００３４】
また、カム溝ｂ２は、図７に示すように、周方向に沿って、すなわち、光軸と平行な方向に対して略９０°で、形成される溝部ｂ２ｓｔを有する。溝部ｂ２ｓｔは、外周面２１０Ｔの前端部に形成されている。これによって、第２直進枠１２０が前端に移動した場合に、直進カムフォロアＡＢ２の前後が周方向に沿って形成された溝部ｂ２ｓｔによって挟まれるので、その区間での第１回転枠２１０の回転量に対する光軸方向移動量が、ほぼ０となり、前後方向における第２直進枠１２０の停止位置の誤差を小さくできる。
【００３５】
ここで、図８は、図７のＡ−Ａ断面図である。図８に示すように、溝部ｂ２ｓｔは、被写体側に設けられる前側面２１３と、被写体と反対側に設けられる後側面２１４と、前側面２１３の内側に連なる前カム面２１５と、後側面２１４の内側に連なる後カム面２１６と、を有する。
前側面２１３と後側面２１４とは、前後方向において互いに対向している。後側面２１４は、前後方向において、後述するバヨネット溝ｅ０の後側面２１８と光軸方向で同じ位置に形成されている（図７参照）。本実施形態では、後側面２１４と、バヨネット溝ｅ０の後側面２１８とは、周方向に連続的に形成されている。言い換えると、溝部ｂ２ｓｔの後側面２１４は、周方向において、バヨネット溝ｅ０の後側面２１８と連なっている。具体的には、バヨネット溝ｅ０の後側面２１８は、周方向において、後側面２１４と同一面に形成されている。そのため、溝部ｂ２ｓｔの後側面２１４は、第１回転枠２１０が回転する際に、バヨネット突起Ｅ０の後側面と摺動する。
【００３６】
また、前カム面２１５と後カム面２１６とは、前後方向において互いに対向している。前カム面２１５及び後カム面２１６それぞれは、第２直進枠１２０が移動する際に、後述する直進カムフォロアＡＢ２（図１０参照）の両側面と摺動する。
このように、本実施形態に係る溝部ｂ２ｓｔは、第２直進枠１２０の直進カムフォロアＡＢ２とともにカム機構の一部を構成しつつ、バヨネット突起Ｅ０とともにバヨネット機構の一部をも構成している。なお、溝部ｂ２ｓｔの径方向外側は、径方向内側に向かって略ストレート状に形成され、かつ、溝部ｂ２ｓｔの径方向内側は、径方向外側に向かってテーパ状に形成されている。なお、溝部ｂ２ｓｔの径方向外側は、径方向内側に向かってテーパ状に形成されていてもよい。ただし、テーパ状よりもストレート状の方が、バヨネット機構に光軸方向の力が掛かった場合に外れにくい。
【００３７】
バヨネット溝ｅ０は、外周面２１０Ｔの前端部に形成される。バヨネット溝ｅ０は、周方向に沿って円弧状に形成される。バヨネット溝ｅ０は、３本のカム溝ｂ２と交差している。具体的に、バヨネット溝ｅ０は、カム溝ｂ２のうち溝部ｂ２ｓｔと重なるように形成されている。バヨネット溝ｅ０には、バヨネット突起Ｅ０が係合される。
ここで、図９Ａは、図７のＢ−Ｂ断面図である。図９Ａに示すように、バヨネット溝ｅ０は、被写体側に設けられる前側面２１７と、被写体と反対側に設けられる後側面２１８と、を有する。前側面２１７と後側面２１８は、第１直進枠１１０のバヨネット突起Ｅ０を挟み込むように形成されており、前側面２１７と後側面２１８の間隔は、上述の前側面２１３と後側面２１４の間隔よりも狭い。前側面２１７及び後側面２１８は、第１直進枠１１０が回転する際に、バヨネット突起Ｅ０の両側面と摺動する。
【００３８】
なお、上述の通り、バヨネット溝ｅ０が有する後側面２１８の前後方向の位置は、溝部ｂ２ｓｔが有する後側面２１４の前後方向の位置と同じである（図７参照）。また、後側面２１４及び後側面２１８のそれぞれは、周方向に連なっており、バヨネット突起Ｅ０を支持する面として機能する。
３本の直進溝ａ３は、内周面２１０Ｓにおいて光軸方向に沿って形成される。３本の直進溝ａ３のうち２つは近接しており、残り一つは１２０°〜１８０°離れて形成される。
【００３９】
以上のように、第１回転枠２１０では、リブ部２１９と、バヨネット溝ｅ０と、バヨネット突起Ｅ１と、フランジ部２１２ａとが、前方から順に並べられている。
なお、実施の形態では、第１回転枠２１０において、バヨネット溝ｅ０をカム溝ｂ２と交差させる位置に形成した。これは、第１回転枠２１０の光軸方向の長さをより短くすると共に、第１回転枠２１０のカム溝ｂ２に係合されて移動する第２直進枠１２０の移動量を大きくするためである。
加えて、バヨネット溝ｅ０は、第１回転枠２１０の被写体側の端部付近に形成するようにした。これは、バヨネット溝ｅ０を第１回転枠２１０の中央付近に形成すると、レンズ鏡筒を組立てる際に、バヨネット突起Ｅ０をバヨネット溝ｅ０まで通過させるのに必要な溝、すなわち肉薄部、を長い区間設けなければならなくなるためである。
【００４０】
４．第２直進枠１２０の構成
図１０は、第２直進枠１２０の斜視図である。
【００４１】
第２直進枠１２０は、第２直進枠本体１２１と、２つの係止部１２２と、を有する。
第２直進枠本体１２１は、円筒状に形成され、内周面１２０Ｓと外周面１２０Ｔを有する。
２つの係止部１２２は、第２直進枠本体１２１の後端面上に立設され、後方に向かって突出している。また、２つの係止部１２２は、光軸ＡＸ（図３参照）を中心として略対称な位置に形成される。後述するように、２つの係止部１２２が第３直進枠１３０に係止されることによって、第３直進枠１３０の第２直進枠１２０に対する相対回転が抑止される。なお、本実施形態では、２つの係止部１２２のうち一方が他方よりも周方向に長く形成されている。
【００４２】
また、第２直進枠１２０は、３つの直進カムフォロアＡＢ２と、３本の直進溝ａ４と、バヨネット溝ｅ２と、を有する。
３つの直進カムフォロアＡＢ２は、外周面１２０Ｔの後端部に立設され、周方向において略等ピッチで配置される。３つの直進カムフォロアＡＢ２は、第１回転枠２１０の３本のカム溝ｂ２に係合される。また、３つの直進カムフォロアＡＢ２は、３本のカム溝ｂ２に挿通され、かつ、第１直進枠１１０の３本の直進溝ａ２に係合される。
【００４３】
３本の直進溝ａ４は、光軸方向に沿って内周面１２０Ｓに形成される。３本の直進溝ａ４は、周方向において略等ピッチで配置される。
バヨネット溝ｅ２は、周方向に沿って内周面１２０Ｓの後端部に形成される。バヨネット溝ｅ２は、３本の直進溝ａ４と交差している。
【００４４】
５．第２回転枠２２０の構成
図１１は、第２回転枠２２０の斜視図である。
第２回転枠２２０は、第２回転枠本体２２１と、３つの直進突起Ａ３と、３つのバヨネット突起Ｅ２と、２本のバヨネット溝ｅ３と、３本のカム溝ｂ３と、３本のカム溝ｂ４と、３本のカム溝ｂ５と、を有する。ただし、図１１では、カム溝ｂ３、カム溝ｂ４、カム溝ｂ５が各々２本ずつ図示されている。
第２回転枠本体２２１は、円筒状に形成され、内周面２２０Ｓと外周面２２０Ｔを有する。
【００４５】
３つの直進突起Ａ３は、外周面２２０Ｔの後端部に立設され、周方向において３つの直進突起Ａ３のうち２つは近接しており、残り一つは近接する２つの直進突起Ａ３から１２０°以上離れて形成される。３つの直進突起Ａ３は、第１回転枠２１０の３つの直進溝ａ３に係合される。
３つのバヨネット突起Ｅ２は、外周面２２０Ｔの後端部において周方向に沿って形成される。３つのバヨネット突起Ｅ２は、３つの直進突起Ａ３より前方に配置される。バヨネット突起Ｅ２は、第２直進枠１２０のバヨネット溝ｅ２に係合される。本実施形態において、バヨネット突起Ｅ２とバヨネット溝ｅ２とは、第２回転枠２２０を第２直進枠１２０に回転自在に係合するためのバヨネット機構を構成している。
【００４６】
２本のバヨネット溝ｅ３は、周方向に沿って内周面２２０Ｓの略中央部に形成される。２本のバヨネット溝ｅ３は、互いに平行に形成される。２本のバヨネット溝ｅ３は、カム溝ｂ４およびカム溝ｂ５と交差する。
３本のカム溝ｂ３は、光軸方向と交差するように外周面２２０Ｔに形成され、周方向において略等ピッチで配置される。
カム溝ｂ４およびカム溝ｂ５は、内周面２２０Ｓに形成される。カム溝ｂ４およびカム溝ｂ５は、互いに交差する。
【００４７】
６．第３直進枠１３０の構成
図１２は、第３直進枠１３０の斜視図である。
第３直進枠１３０は、第３直進枠本体１３１と、フランジ部１３２と、２つの係止凹部１３３と、を有する。
【００４８】
第３直進枠本体１３１は、円筒状に形成され、内周面１３０Ｓと外周面１３０Ｔを有する。
フランジ部１３２は、円環状に形成され、外周面１３０Ｔの後端部上に立設されている。
２つの係止凹部１３３は、フランジ部１３２の外縁に形成される切り欠きである。２つの係止凹部１３３は、光軸ＡＸ（図３参照）を中心として略対称な位置に形成される。ここで、図１３は、第２直進枠１２０と第２回転枠２２０と第３直進枠１３０とを組み付けた状態を示す模式図である。図１３に示すように、第２直進枠１２０の２つの係止部１２２が第３直進枠１３０の２つの係止凹部１３３に係止されることによって、第３直進枠１３０の第２直進枠１２０に対する相対回転が抑止される。なお、２つの係止部１２２の一方が他方よりも周方向に長く形成されているのに対応して、２つの係止凹部１３３の一方が他方よりも周方向に長く形成されている。これによって、２つの係止凹部１３３の強度が向上されている。
【００４９】
また、第３直進枠１３０は、２つのバヨネット突起Ｅ３と、３つの直進溝ａ５と、３つの直進溝ａ６と、を有する。ただし、図１２では、バヨネット突起Ｅ３は２つだけ図示されている。
２つのバヨネット突起Ｅ３は、外周面１３０Ｔの略中央部において周方向に沿って形成される。２つのバヨネット突起Ｅ３は、互いに平行に形成される。２つのバヨネット突起Ｅ３は、第２回転枠２２０の２本のバヨネット溝ｅ３に係合される。本実施形態において、バヨネット突起Ｅ３とバヨネット溝ｅ３とは、第３直進枠１３０を第２回転枠２２０に回転自在に係合するためのバヨネット機構を構成している。
【００５０】
３つの直進溝ａ５は、内周面１３０Ｓから外周面１３０Ｔまで第３直進枠本体１３１を貫通している。３つの直進溝ａ５は、光軸方向に沿って延びており、周方向において略等ピッチで配置される。
３つの直進溝ａ６は、内周面１３０Ｓから外周面１３０Ｔまで第３直進枠本体１３１を貫通している。３つの直進溝ａ６は、光軸方向に沿って延びており、周方向において略等ピッチで配置される。
本実施形態において、３つの直進溝ａ５と３つの直進溝ａ６とは、周方向において交互に配置されている。
【００５１】
７．第１レンズ群枠３１０の構成
図１４は、第１レンズ群枠３１０の斜視図である。
第１レンズ群枠３１０は、第１レンズ群枠本体３１１と、３つの直進突起Ａ４と、３つのカム突起Ｂ３と、を有する。
【００５２】
第１レンズ群枠本体３１１は、円筒状に形成され、内周面３１０Ｓと外周面３１０Ｔを有する。第１レンズ群枠本体３１１には、後方に向かって突出する３つの突出部３１１ａが形成されている。
３つの直進突起Ａ４は、突出部３１１ａの外周面３１０Ｔに立設され、周方向において略等ピッチで配置される。３つの直進突起Ａ４は、第２直進枠１２０の３本の直進溝ａ４に係合される。
【００５３】
３つのカム突起Ｂ３は、突出部３１１ａの内周面３１０Ｓに立設され、周方向において略等ピッチで配置される。３つのカム突起Ｂ３は、第２回転枠２２０の３本のカム溝ｂ３に係合される。
本実施形態において、３つの直進突起Ａ４と３つのカム突起Ｂ３とは、突出部３１１ａを挟んで略反対に配置されている。
【００５４】
８．第２レンズ群枠３２０の構成
図１５は、第２レンズ群枠３２０の斜視図である。
第２レンズ群枠３２０は、第２レンズ群枠本体３２１と、３つの直進突起Ａ５と、３つのカム突起Ｂ４と、を有する。
第２レンズ群枠本体３２１は、コップ状に形成され、外周面３２０Ｔを有する。
【００５５】
３つの直進突起Ａ５は、外周面３２０Ｔの後端部上に形成され、周方向において略等ピッチで配置される。３つの直進突起Ａ５は、第３直進枠１３０の３本の直進溝ａ５に係合される。
３つのカム突起Ｂ４は、３つの直進突起Ａ５上に形成される。３つのカム突起Ｂ４は、第２回転枠２２０の３本のカム溝ｂ４に係合される。
【００５６】
９．第３レンズ群枠３３０の構成
図１６では、シャッター枠３３５の内部に第３レンズ群枠３３０が収容された状態が図示されている。図１６を用いて、第３レンズ群枠３３０の構成を説明する。
第３レンズ群枠３３０すなわちＯＩＳ（Ｏｐｔｉｃａｌ  Ｉｍａｇｅ  Ｓｔａｂｉｌｉｚｅｒ）ユニットは、主に、ＯＩＳ枠４００と、退避レンズ枠４０１と、像ぶれ補正用の第３レンズ群Ｌ３と、を有している。
【００５７】
ＯＩＳ枠４００は、シャッター枠３３５に装着されている。具体的には、ＯＩＳ枠４００は、光軸と垂直な面内で移動可能である。より具体的には、図示しないマグネットが、ＯＩＳ枠４００に固定されており、図示しないコイルが、マグネットに対向する位置においてシャッター枠３３５に固定されている。この状態において、電力が、図示しないカメラ回路からシャッター枠のコイルに供給されると、コイルに電流が流れ磁界が発生する。この磁界によってＯＩＳ枠４００のマグネットが駆動され、この駆動力によりＯＩＳ枠４００が光軸と垂直な面内で移動する。
【００５８】
退避レンズ枠４０１は、光軸と略平行な退避軸回りに移動可能に、ＯＩＳ枠４００に保持されている。退避レンズ枠４０１は、第３レンズ群Ｌ３が像ぶれ補正を実行可能な補正可能位置（第１姿勢）から、第３レンズ群Ｌ３が光軸から退避した退避位置（第２姿勢）へと、その位置を変更可能である。退避レンズ枠４０１は、少なくとも１つのレンズから構成される第３レンズ群Ｌ３を、保持している。
【００５９】
１０．シャッター枠３３５の構成
続いて、図１６を参照しながら、シャッター枠３３５の構成について説明する。
シャッター枠３３５は、シャッター枠本体３３６と、３つの直進突起Ａ６と、３つのカム突起Ｂ５と、を有する。
シャッター枠本体３３６は、円筒状に形成され、外周面３３５Ｔを有する。
３つの直進突起Ａ６は、外周面３３５Ｔ上に形成され、周方向において略等ピッチで配置される。３つの直進突起Ａ６は、第３直進枠１３０の３本の直進溝ａ６に係合される。
３つのカム突起Ｂ５は、３つの直進突起Ａ６の前端部に立設される。３つのカム突起Ｂ５は、第２回転枠２２０の３本のカム溝ｂ５に係合される。
【００６０】
１１．枠どうしの係合
図１７乃至図１９は、レンズ鏡筒２０の断面図である。ただし、図１７乃至図１９は、光軸ＡＸを通る複数の切断面が組み合わされた模式図である。なお、図１７では、レンズ鏡筒２０の沈胴状態が図示され、図１８では、レンズ鏡筒２０のワイド状態が図示され、図１９では、レンズ鏡筒２０のテレ状態が図示されている。本実施形態において、デジタルカメラ１の撮影可能状態とは、レンズ鏡筒２０のワイド状態からテレ状態までの状態を意味する。
【００６１】
第１回転枠２１０のギア部２１２ｂは、ズームギア２４２に噛合される（不図示）。第１回転枠２１０のカムフォロアＢ１は、固定枠１００のカム溝ｂ１に係合される。従って、第１回転枠２１０は、ズームモータ２４１の駆動力によって周方向に回転しながら光軸方向に移動可能である。
第１直進枠１１０の直進突起Ａ１は、固定枠１００の直進溝ａ１に係合される。第１直進枠１１０のバヨネット溝ｅ１には、第１回転枠２１０のバヨネット突起Ｅ１が係合される。従って、第１直進枠１１０は、第１回転枠２１０とともに光軸方向に直進可能である。
【００６２】
第２直進枠１２０の直進カムフォロアＡＢ２は、第１回転枠２１０のカム溝ｂ２に挿通され、かつ、第１直進枠１１０の直進溝ａ２に係合される。従って、第２直進枠１２０は、第１回転枠２１０の回転に応じて、光軸方向に移動可能である。
第２回転枠２２０の直進突起Ａ３は、第１回転枠２１０の直進溝ａ３に係合される。また、第２回転枠２２０のバヨネット突起Ｅ２は、第２直進枠１２０のバヨネット溝ｅ２に係合される。従って、第２回転枠２２０は、第１回転枠２１０とともに周方向に回転しながら、第２直進枠１２０とともに光軸方向に移動可能である。
【００６３】
第３直進枠１３０の係止凹部１３３には、第２直進枠１２０の係止部１２２が係止される。また、第３直進枠１３０のバヨネット突起Ｅ３は、第２回転枠２２０のバヨネット溝ｅ３に係合される。第２回転枠２２０の３つの直進突起Ａ３同士の間隔のうち少なくとも２つ間隔が略１２０°以上離れて配置され、第２直進枠１２０の２つの係止部１２２同士の間隔も同じく略１２０°以上離れて配置されており、ズーム駆動時の互いの相対回転角が略１２０°以下にされている。そのため、第３直進枠１３０は、第２回転枠２２０の回転に干渉することなく、第２直進枠１２０とともに光軸方向に移動可能である。
【００６４】
２つの係止部１２２の一方が他方よりも周方向に長く形成されているのに対応して、２つの係止凹部１３３の一方が他方よりも周方向に長く形成されているが、第３直進枠１３０が、第２回転枠２２０の回転に干渉しない範囲で周方向に長くすることが望ましい。
また、第２回転枠２２０の３つの直進突起Ａ３同士の間隔のうち少なくとも２つの間隔が略１５０°で、第２直進枠１２０の２つの係止部１２２の間隔も同じく略１５０°であり、ズーム駆動時の互いの相対回転角が略１５０°以下とされている。そのため、第３直進枠１３０が第２回転枠２２０の回転に干渉することはない。さらに、他の角度でも同様である。
【００６５】
第１レンズ群枠３１０の直進突起Ａ４は、第２直進枠１２０の直進溝ａ４に係合される。また、第１レンズ群枠３１０のカム突起Ｂ３は、第２回転枠２２０のカム溝ｂ３に係合される。従って、第１レンズ群枠３１０は、第２回転枠２２０の回転に応じて、光軸方向に移動可能である。
第２レンズ群枠３２０の直進突起Ａ５は、第３直進枠１３０の直進溝ａ５に係合される。また、第２レンズ群枠３２０のカム突起Ｂ４は、第２回転枠２２０のカム溝ｂ４に係合される。従って、第２レンズ群枠３２０は、第２回転枠２２０の回転に応じて、光軸方向に移動可能である。
【００６６】
シャッター枠３３５の直進突起Ａ６は、第３直進枠１３０の直進溝ａ６に係合される。また、シャッター枠３３５のカム突起Ｂ５は、第２回転枠２２０のカム溝ｂ５に係合される。従って、シャッター枠３３５は、第２回転枠２２０の回転に応じて、光軸方向に移動可能である。
シャッター枠３３５には、第３レンズ群枠３３０が装着されており、シャッター枠３３５が第３直進枠１３０に対して光軸方向に直進すると、第３レンズ群枠３３０の退避レンズ枠４０１が、図示しない退避機構によって回動させられる。これにより、沈胴状態から撮影可能状態に移行する際には、退避レンズ枠４０１は、退避位置から補正可能位置へと移動する。また、撮影可能状態から沈胴状態に移行する際には、退避レンズ枠４０１は、補正可能位置から退避位置へと移動する。退避レンズ枠４０１が補正可能位置に配置された場合、第３レンズ群L３は、光軸と垂直な面内で移動可能である。すなわち、この状態では、像ぶれ補正が可能である。
【００６７】
以上のように、ズームモータ２４１の駆動力による第１回転枠２１０および第２回転枠２２０の回転によって、第１乃至第３直進枠１１０〜１３０と各レンズ群枠３１０，３２０，３３５の光軸方向に対する移動が実現されている。
〈レンズ鏡筒２０の組立て方法〉
以下において、レンズ鏡筒２０の組立て方法について説明する。
【００６８】
まず、第２回転枠２２０の後方から第３直進枠１３０を挿入する。続いて、第３直進枠１３０を周方向に回転させてテレ状態にする。
次に、第３直進枠１３０の後方から第２レンズ群枠３２０を挿入する。
次に、ＯＩＳ枠４００の前方から退避レンズ枠４０１を挿入し、退避レンズ枠４０１にＯＩＳ枠４００を回動可能に取り付ける。
【００６９】
次に、シャッター枠３３５の前方からＯＩＳ枠４００を挿入する。
次に、第３直進枠１３０の後方からシャッター枠３３５を挿入する。
続いて、第２レンズ群枠３２０を周方向に回転させて沈胴状態にする。
次に、第１レンズ群枠３１０の後方から第２回転枠２２０を挿入する。
次に、第１レンズ群枠３１０の前方から第２直進枠１２０を被せる。
【００７０】
次に、第１直進枠１１０の後方から第１回転枠２１０を挿入する。続いて、第１回転枠２１０の後方から第２直進枠１２０を挿入する。
次に、固定枠１００の後方から第１直進枠１１０を挿入する。
最後に、各枠を回転させることによって沈胴状態にする。
〈作用及び効果〉
レンズ鏡筒２０は、円筒状の第１直進枠１１０（第１枠の一例）と、円筒状の第１回転枠２１０（第２枠の一例）と、円筒状の第２直進枠１２０（第３枠の一例）と、を備える。
【００７１】
（１）第１直進枠１１０は、内周面１１０Ｓに形成される直進溝ａ２（直進溝の一例）と、内周面１１０Ｓにおいて周方向に沿って形成されるバヨネット突起Ｅ０（第１バヨネット突起の一例）と、を有する。
第１回転枠２１０は、第１直進枠１１０の径方向内側に配置され、第１直進枠１１０と相対的に回転可能である。第１回転枠２１０は、外周面２１０Ｔに周方向に沿って形成されバヨネット突起Ｅ０に係合されるバヨネット溝ｅ０と、内周面２１０Ｓから外周面２１０Ｔに第１回転枠本体２１１を貫通し少なくとも一部がバヨネット突起Ｅ０と交差するカム溝ｂ２（カム溝の一例）と、を有する。
【００７２】
第２直進枠１２０は、第１回転枠２１０の径方向内側に配置され、第１直進枠１１０と相対的に回転可能である。第２直進枠１２０は、外周面１２０Ｔに形成され、カム溝ｂ２を介して直進溝ａ２に係合される直進カムフォロアＡＢ２（突起の一例）を有する。
このように、第１回転枠２１０の外側に第１直進枠１１０が配置されているので、第１回転枠２１０のカムフォロアＢ１を第１直進枠１１０の第１直進突起Ａ１より光軸方向後ろ側に配置できる。そのため、第１直進枠１１０の外側に第１回転枠２１０が配置される場合に比べて、レンズ鏡筒２０の光軸方向における全長を大きくすることなく、第１回転枠２１０のカムフォロアＢ１と係合する固定枠１００の第１直進溝ａ１の光軸方向前側端部の壁を分厚くすることができる。従って、第１回転枠２１０の固定枠１００に対する移動量を維持しつつ、すなわちズーム倍率を維持しつつ、レンズ鏡筒２０をコンパクト化できるとともに、落下等の外力に対する強度を向上させることができる。
【００７３】
また、第１回転枠２１０のギア部２１２ｂを第１直進枠１１０の直進突起Ａ１の後方に配置できるので、図１に示すとおり、筐体１０から固定枠１００の前支持部１０２が突出することを抑制できる。従って、カメラのデザイン性も向上できる。
さらに、カム溝ｂ２は、周方向に沿って形成される溝部ｂ２ｓｔを有する。バヨネット溝ｅ０の被写体と反対側の後側面２１８は、溝部ｂ２ｓｔの被写体と反対側の後側面２１４と、前後方向において略同一位置にある。
【００７４】
そのため、カム溝ｂ２とバヨネット溝ｅ０とが重なる場合において、バヨネット溝ｅ０だけでなくカム溝ｂ２にもバヨネット突起Ｅ０を係合させることができる。従って、第１直進枠１１０と第１回転枠２１０とのバヨネット結合力を向上させることができる。
また、バヨネット溝ｅ０が外周面２１０Ｔの前端部に形成されている。そのため、バヨネット突起Ｅ０を第１回転枠２１０の一端からバヨネット溝ｅ０まで挿入するために外周面２１０Ｔを凹ませる領域を小さくすることができる。従って、第１回転枠２１０の強度が低下することを抑制できる。
【００７５】
また、カム溝ｂ２が前後方向における第１回転枠２１０の全長にわたって形成されているので、第２直進枠１２０の十分な移動量が確保されている。さらに、第２直進枠１２０が前端に移動した場合に、直進カムフォロアＡＢ２の前後が溝部ｂ２ｓｔによって挟まれるので、前後方向における第２直進枠１２０の停止位置の誤差を小さくできる。
このように、本実施形態では、第１回転枠２１０の強度向上、第２直進枠１２０の移動量拡大、および第２直進枠１２０の停止精度向上を図りつつ、第１回転枠２１０と第２直進枠１２０のバヨネット結合力の向上が実現されている。
【００７６】
（２）バヨネット溝ｅ０の被写体と反対側の後側面２１８と、溝部ｂ２ｓｔの被写体と反対側の後側面２１４とは、周方向に連続的に形成されている。これにより、バヨネット溝ｅ０と溝部ｂ２ｓｔとの間で、バヨネット突起Ｅ０をスムーズに移動させることができる。
（３）従来、貫通溝を有する枠を備えるレンズ鏡筒が知られている（例えば、特開２００９−１３４１６０号公報を参照）。
【００７７】
しかしながら、特許文献１に記載のレンズ鏡筒では、貫通溝が形成されることで枠の強度が低下するため、枠が撓みやすいという問題がある。
ここに開示される技術は、上述のような状況に鑑みてなされたものであり、貫通溝を有する枠の強度を向上可能なレンズ鏡筒を提供することを目的とする。
ここに開示されるレンズ鏡筒は、内周面から外周面に貫通した少なくとも１本のカム溝と、外周面上において周方向に沿って形成される少なくとも１つのフランジ部と、カム溝を挟んでフランジ部と対向するように外周面上に形成される少なくとも１つのリブ部と、を有する円筒状の第１枠（（１）の第２枠に対応）と、第１枠の径方向外側に配置され、第１枠に対して相対的に回転する円筒状の第２枠（（１）の第１枠に対応）と、を備える。第２枠の少なくとも一部は、リブ部とフランジ部とによって挟まれており、リブ部を含む少なくとも一部の光軸方向断面において、リブ部とフランジとの間にのみ存在する。リブ部の一部は、カム溝における最も円筒軸方向の一方側に設けられた領域の円筒軸方向の一方側に形成される。
【００７８】
ここに開示される技術によれば、貫通溝を有する枠の強度を向上可能なレンズ鏡筒を提供することができる。
以下では、上記の構成及び効果を具体的に説明する。
レンズ鏡筒２０は、第１回転枠２１０（（２）の第１枠の一例、（１）の第２枠の一例）と、第１回転枠２１０の径方向外側に配置される第１直進枠１１０（（２）の第２枠の一例、（１）の第１枠の一例）と、を備える。第１回転枠２１０は、内周面２１０Ｓから外周２１０Ｔまで貫通するカム溝ｂ２と、外周面２１０Ｔ上において周方向に沿って形成されるフランジ部２１２と、カム溝ｂ２を挟んでフランジ部２１２と対向するように外周面２１０Ｔ上に形成されるリブ部２１９と、を有する。第１直進枠１１０の少なくとも一部は、フランジ部２１２とリブ部２１９とによって挟まれており、第１回転枠２１０と組み合わされた場合に、断面においてフランジ部２１２とリブ部２１９との間にのみ存在する。フランジ部２１２とリブ部２１９とは、第１回転枠２１０の前後方向両端部に形成されている。
【００７９】
このように、リブ部２１９を外周面２１０Ｔ上に形成することによって、カム溝ｂ２が形成されることによって強度が低下しやすい第１回転枠２１０の強度を向上させることができる。
また、第１回転枠２１０は、第１直進枠１１０のフランジ部２１２とリブ部２１９とによって挟まれているので、貫通溝が形成されないために強度が相対的に大きい第１直進枠１１０によって第１回転枠２１０を保持することができる。そのため、第１回転枠２１０が内側に変形することを抑制することができる。
【００８０】
（４）第１回転枠２１０は、バヨネット突起Ｅ１（第２バヨネット突起の一例）を、さらに有している。リブ部２１９、バヨネット溝ｅ０、バヨネット突起Ｅ１およびフランジ部２１２ａ（フランジの一例）は、円筒軸方向において順に並んでいる。この場合でも、上記（３）と同様の効果を得ることができる。
（５）第１直進枠１１０のバヨネット突起Ｅ０が、溝部ｂ２ｓｔに位置する場合、第１直進枠１１０の被写体側の端部が、第１回転枠２１０のリブ部２１９と当接する（図１８を参照）。この場合、バヨネット突起Ｅ０とリブ部２１９とによって、第１回転枠２１０が、直進枠１１０に対して、光軸方向へ移動不能且つ周方向へ回転可能になる。これにより、第１回転枠２１０を、安定的に回転させることができる。
【００８１】
〈その他の実施形態〉
（Ａ）上記実施形態において、レンズ鏡筒２０は、第１直進枠１１０と第２直進枠１２０と第１レンズ群枠３１０とによる３段沈胴式であることとしたが、これに限られるものではない。レンズ鏡筒２０は、第１直進枠１１０と第２直進枠１２０とによる２段沈胴式であってもよい。この場合、レンズ鏡筒２０は、第２回転枠２２０および第３直進枠１３０を備えていなくてもよい。さらに、レンズ鏡筒２０は、４段以上の沈胴式であってもよい。
【００８２】
（Ｂ）上記実施形態では、２つの枠のうち一方の枠にカム溝ｂが形成され、他方の枠にカム突起Ｂが形成されているが、これに限られるものではない。２つの枠のうち一方の枠にカム突起Ｂが形成され、他方の枠にカム溝ｂが形成されていてもよい。また、２つの枠のそれぞれにカム溝ｂとカム突起Ｂとが形成されていてもよい。
（Ｃ）上記実施形態では、２つの枠のうち一方の枠に直進溝ａが形成され、他方の枠に直進突起Ａが形成されているが、これに限られるものではない。２つの枠のうち一方の枠に直進突起Ａが形成され、他方の枠に直進溝ａが形成されていてもよい。また、２つの枠のそれぞれに直進溝ａと直進突起Ａとが形成されていてもよい。
【００８３】
（Ｄ）上記実施形態では、２つの枠のうち一方の枠にバヨネット溝ｅが形成され、他方の枠にバヨネット突起Ｅが形成されているが、これに限られるものではない。２つの枠のうち一方の枠にバヨネット突起Ｅが形成され、他方の枠にバヨネット溝ｅが形成されていてもよい。また、２つの枠のそれぞれにバヨネット溝ｅとバヨネット突起Ｅとが形成されていてもよい。
【００８４】
（Ｅ）上記実施形態では、第３レンズ群枠３３０が沈胴状態において第２レンズ群枠３２０の側方に退避することとしたが、これに限られるものではない。第３レンズ群枠３３０は、沈胴状態において第２レンズ群枠３２０の後方に配置されてもよい。
（Ｆ）上記実施形態において、カム溝ｂ２の溝部ｂ２ｓｔとバヨネット溝ｅ０とは、外周面２１０Ｔの前端部に形成されることとしたが、これに限られるものではない。溝部ｂ２ｓｔとバヨネット溝ｅ０とは、外周面２１０Ｔの前端部から離間していてもよい。
【００８５】
（Ｇ）上記実施形態において、カム溝ｂ２は、第１回転枠２１０の前後方向の全長にわたって形成されることとしたが、これに限られるものではない。カム溝ｂ２は、第１回転枠２１０の前後端から離間していてもよい。
（Ｈ）上記実施形態において、カム溝ｂ２とバヨネットｅ０を備えた第１回転枠２１０が回転することとしたが、これに限られるものではない。カム溝ｂ２とバヨネットｅ０を備えた第２枠が直進し、その外側に配置された第１枠が回転してもよい。この場合、第３直進枠１３０に相当する第３枠は第１枠と同期して回転する。
【００８６】
（Ｉ）上記実施形態では、カム溝ｂ２（貫通溝）が形成されることによって強度が低下しやすい第１回転枠２１０に対して、フランジ部２１２及びリブ部２１９を形成する場合について説明したが、これに限られるものではない。本発明は、貫通溝が形成される枠に対して適用可能である。すなわち、レンズ鏡筒２０は、貫通溝を有する第１枠と、第１枠の外側に配置される第２枠と、を備えていればよい。
【産業上の利用可能性】
【００８７】
ここに開示された技術によれば、コンパクト化可能なレンズ鏡筒を提供することができる。また、ここに開示された技術によれば、貫通溝を有する枠の強度を向上可能なレンズ鏡筒を提供することができる。このため、例えば、カメラ、カメラ付き携帯電話、カメラ付きポータブル端末等に適用できる。
【符号の説明】
【００８８】
１    …デジタルカメラ
１０  …筐体
２０  …レンズ鏡筒
２１  …第１移動鏡筒部
２２  …第２移動鏡筒部
２３  …第３移動鏡筒部
２４  …固定鏡筒部
１００…固定枠
１１０…第１直進枠
１２０…第２直進枠
１２２…係止部
１３０…第３直進枠
１３３…係止凹部
２１０…第１回転枠
２１２ａ…ギア部
２２０…第２回転枠
２４１…ズームモータ
２４２…ズームギア
３１０…第１レンズ群枠
３２０…第２レンズ群枠
３３０…第３レンズ群枠
３３５…シャッター枠
ａ１〜ａ６          …直進溝
Ａ１，Ａ３〜Ａ６  …直進突起
ｂ１〜ｂ５          …カム溝
Ｂ１，Ｂ３〜Ｂ５  …カムフォロア
ＡＢ２              …直進カムフォロア
ｅ１〜ｅ３          …バヨネット溝
Ｅ１〜Ｅ３          …バヨネット突起
【図１】
2013114897.tif 000003
【図２】
2013114897.tif 000004
【図３】
2013114897.tif 000005
【図４】
2013114897.tif 000006
【図５】
2013114897.tif 000007
【図６】
2013114897.tif 000008
【図７】
2013114897.tif 000009
【図８】
2013114897.tif 000010
【図９Ａ】
2013114897.tif 000011
【図９Ｂ】
2013114897.tif 000012
【図１０】
2013114897.tif 000013
【図１１】
2013114897.tif 000014
【図１２】
2013114897.tif 000015
【図１３】
2013114897.tif 000016
【図１４】
2013114897.tif 000017
【図１５】
2013114897.tif 000018
【図１６】
2013114897.tif 000019
【図１７】
2013114897.tif 000020
【図１８】
2013114897.tif 000021
【図１９】
2013114897.tif 000022
【国際調査報告】
2013114897.tif 000023
2013114897.tif 000024
2013114897.tif 000025